(57)【特許請求の範囲】
【請求項１】
記録部と、画像読取部とを備え、
前記記録部は、
記録媒体に対して記録を施すための記録ヘッドと、
前記記録ヘッドを支持して移動する記録用キャリッジと、
前記記録媒体を前記記録ヘッドに向けて給送する給送機構と、を有し、
前記画像読取部は、
画像を読み取るための読取センサーと、
前記読取センサーを支持して移動する読取用キャリッジと、
前記読取用キャリッジを下方から支持するとともに、前記記録用キャリッジの移動方向に延設され、前記読取用キャリッジの移動を案内するガイドレールと、
前記読取用キャリッジを移動させるために前記読取用キャリッジに搭載される駆動源と、を有し、
前記記録部の前記記録用キャリッジは、前記記録媒体が搬送される搬送方向と交差する方向に沿って移動し、
前記画像読取部の前記読取用キャリッジは、前記記録部の前記記録用キャリッジよりも上方で移動し、
前記画像読取部の前記駆動源は、前記記録用キャリッジの移動領域から外れた位置において、前記記録用キャリッジと上下方向において重なるように配置され、
前記読取用キャリッジの前記ガイドレールは、前記搬送方向において前記駆動源と前記記録用キャリッジとの間に配置されていることを特徴とする複合機。
【請求項２】
前記画像読取部の前記駆動源は、前記記録部の前記記録用キャリッジよりも前記搬送方向の下流側に配置されていることを特徴とする請求項１に記載の複合機。
【請求項３】
前記画像読取部は、前記読取用キャリッジに接続される可撓性ケーブルを有し、
前記可撓性ケーブルは、前記記録部の前記記録用キャリッジに対して、前記画像読取部の前記駆動源とは反対側に配置されていることを特徴とする請求項１または２に記載の複合機。
【請求項４】
記録部と、画像読取部とを備え、
前記記録部は、
記録媒体に対して記録を施すための記録ヘッドと、
前記記録ヘッドを支持して移動する記録用キャリッジと、を有し、
前記画像読取部は、
画像を読み取るための読取センサーと、
前記読取センサーを支持して移動する読取用キャリッジと、
前記読取用キャリッジを移動させるために前記読取用キャリッジに搭載される駆動源と、
前記読取用キャリッジに接続される可撓性ケーブルと、
前記読取用キャリッジ及び前記駆動源を収容する読取部ケースと、を有し、
前記画像読取部の前記読取用キャリッジは、前記記録部の前記記録用キャリッジよりも上方で移動し、
前記読取部ケースの前記駆動源を収容する駆動源収容ケース部は、前記記録用キャリッジの移動領域から外れた位置において、前記記録用キャリッジと上下方向において重なるように配置され、
前記読取部ケースの前記可撓性ケーブルを収容する可撓性ケーブル収容ケース部は、前記記録部に向けて突き出していることを特徴とする複合機。
【請求項５】
前記可撓性ケーブル収容ケース部は、前記記録部の前記記録用キャリッジに対して、前記画像読取部の前記駆動源とは反対側に配置されていることを特徴とする請求項４に記載の複合機。
【発明の詳細な説明】
【技術分野】
【０００１】
本発明は、例えばフラットベッド型スキャナーなどの画像読取装置とインクジェット式プリンターなどの記録装置とが一体に組み合わされた複合機に関する。
【背景技術】
【０００２】
従来から、記録装置として機能するプリンター部と、画像読取装置として機能するスキャナー部とが一体に組み合わされた複合機がある（例えば、特許文献１）。特許文献１の複合機のスキャナー部は、プリンター部の上方に配置される筐体を有し、該筐体の上面には平板状のプラテンガラスが配置されているとともに、該筐体内にはプラテンガラス上に載置される原稿の画像を読み取るためのイメージセンサーが配置されている。
【０００３】
一方、複合機のプリンター部は、スキャナー部の下方に配置される筐体を有し、該筐体内には用紙などの記録媒体に記録を施すための記録ヘッドと、記録ヘッドに向けて給紙を行う給送機構とが配置されている。なお、プリンター部の記録ヘッドとしては、用紙の給紙方向と直交する主走査方向に移動するキャリッジに支持されて、該キャリッジとともに主走査方向に移動しながら用紙に画像を形成するシリアルタイプのものが知られている。
【０００４】
また、スキャナー部のイメージセンサーとしては、プラテンガラスに沿って移動可能なキャリッジに支持されて、該キャリッジとともに移動しながら原稿の画像を読み取るものが一般的である。また、イメージセンサーを支持するキャリッジには、該キャリッジを移動させるためのモーター（駆動源）と該モーターによって回転されるピニオンギアとを搭載した自走式のものがある（例えば、特許文献２）。こうした自走式のキャリッジは、スキャナー部の筐体側に設けられたラックにピニオンギアを噛合させた状態でモーターを駆動することで移動するようになっている。
【先行技術文献】
【特許文献】
【０００５】
【特許文献１】特開２００６−３２１６２８号公報
【特許文献２】特開２００９−２０５１３４号公報
【発明の概要】
【発明が解決しようとする課題】
【０００６】
ところで、上記複合機において、プリンター部においては記録ヘッドを支持するキャリッジが大きな収容スペースを必要とする一方、スキャナー部においてはキャリッジに搭載されたモーターが大きな収容スペースを必要とする。そのため、記録ヘッドを支持するキャリッジを有するプリンター部と自走式のキャリッジを有するスキャナー部とを上下方向に並べて配置する場合には、装置全体の高さが嵩んでしまうという問題がある。
【０００７】
本発明は、上記課題を解決するためになされたものであり、その目的は、記録ヘッドを支持する記録用キャリッジを有する記録部と自走式の読取用キャリッジを有する画像読取部とを上下方向に並べて配置する場合にも、装置全体の高さを抑制することができる複合機を提供することにある。
【課題を解決するための手段】
【０００８】
上記目的を達成するために、本発明の複合機は、記録部と、画像読取部とを備える。前記記録部は、記録媒体に対して記録を施すための記録ヘッドと、前記記録ヘッドを支持して移動する記録用キャリッジと、前記記録媒体を前記記録ヘッドに向けて給送する給送機構と、を有する。前記画像読取部は、画像を読み取るための読取センサーと、前記読取センサーを支持して移動する読取用キャリッジと、前記読取用キャリッジを下方から支持するとともに、前記記録用キャリッジの移動方向に延設され、前記読取用キャリッジの移動を案内するガイドレールと、前記読取用キャリッジを移動させるために前記読取用キャリッジに搭載される駆動源と、を有する。そして、前記記録部の前記記録用キャリッジは、前記記録媒体が搬送される搬送方向と交差する方向に沿って移動し、前記画像読取部の前記読取用キャリッジは、前記記録部の前記記録用キャリッジよりも上方で移動し、前記画像読取部の前記駆動源は、前記記録用キャリッジの移動領域から外れた位置において、前記記録用キャリッジと上下方向において重なるように配置され、前記読取用キャリッジの前記ガイドレールは、前記搬送方向において前記駆動源と前記記録用キャリッジとの間に配置されていることを特徴とする。
また、本発明の複合機は、記録部と、画像読取部とを備える。前記記録部は、記録媒体に対して記録を施すための記録ヘッドと、前記記録ヘッドを支持して移動する記録用キャリッジと、を有する。前記画像読取部は、画像を読み取るための読取センサーと、前記読取センサーを支持して移動する読取用キャリッジと、前記読取用キャリッジを移動させるために前記読取用キャリッジに搭載される駆動源と、前記読取用キャリッジに接続される可撓性ケーブルと、前記読取用キャリッジ及び前記駆動源を収容する読取部ケースと、を有する。そして、前記画像読取部の前記読取用キャリッジは、前記記録部の前記記録用キャリッジよりも上方で移動し、前記読取部ケースの前記駆動源を収容する駆動源収容ケース部は、前記記録用キャリッジの移動領域から外れた位置において、前記記録用キャリッジと上下方向において重なるように配置され、前記読取部ケースの前記可撓性ケーブルを収容する可撓性ケーブル収容ケース部は、前記記録部に向けて突き出していることを特徴とする。
また、本発明の複合機は、記録媒体に対して記録を施すための記録ヘッド及び該記録ヘッドを支持して移動する記録用キャリッジを有する記録部と、画像を読み取るための読取センサー及び該読取センサーを支持して移動する読取用キャリッジ及び該読取用キャリッジを移動させるために前記読取用キャリッジに搭載される駆動源を有する画像読取部とが上下方向に並べて配置された複合機であって、前記画像読取部の前記駆動源は、前記記録用キャリッジの上方位置及び下方位置から外れた位置において、該記録用キャリッジと上下方向において重なるように配置されている。
【０００９】
この構成によれば、記録用キャリッジと駆動源とが上下方向において重なるように配置されているので、記録用キャリッジの上方位置又は下方位置に駆動源を配置する場合よりも、装置全体の高さを低くすることができる。したがって、記録ヘッドを支持する記録用キャリッジを有する記録部と自走式の読取用キャリッジを有する画像読取部とを上下方向に並べて配置する場合にも、装置全体の高さを抑制することができる。
【００１０】
本発明の複合機において、前記記録部は、背面側に前記記録媒体の導入口が設けられるとともに前面側に前記記録媒体の排出口が設けられる記録部ケースと、該記録部ケース内において前記記録媒体を前記背面側となる搬送方向の上流側から前記記録ヘッドにより記録が施されることになる下流側に向けて給送する給送機構とをさらに有し、かつ、前記記録用キャリッジは前記搬送方向と交差する主走査方向に沿って移動し、前記画像読取部の前記駆動源は前記記録用キャリッジよりも前記搬送方向の下流側に配置されている。
【００１１】
この構成によれば、記録部ケース内において記録用キャリッジよりも搬送方向の下流側には給送機構が配置されないので、記録用キャリッジよりも搬送方向の上流側となる領域と比較して、画像読取部の駆動源を配置するスペースを容易に確保することができる。
【００１２】
本発明の複合機において、前記読取用キャリッジの長手方向における第１の端部は前記駆動源よりも前記搬送方向における下流側に配置される一方、前記読取用キャリッジの長手方向における第２の端部は前記記録用キャリッジよりも前記搬送方向における上流側に配置され、前記画像読取部は前記読取用キャリッジを下方から支持するとともに前記主走査方向に延設されて前記読取用キャリッジの前記主走査方向に沿う移動を案内するガイドレールをさらに有し、該ガイドレールは前記搬送方向において前記駆動源と前記記録用キャリッジとの間に配置されている。
【００１３】
この構成によれば、読取用キャリッジは記録用キャリッジと同じく主走査方向に沿って移動するので、記録用キャリッジの移動経路と読取用キャリッジの移動経路とを互いに重ならない位置に配置することができる。また、ガイドレールを搬送方向において読取用キャリッジと重ならない位置に配置することで、ガイドレールを読取用キャリッジの真下に配置する場合よりも、画像読取部の高さを抑制することができる。さらに、ガイドレールは搬送方向において駆動源と記録用キャリッジとの間に配置されるので、より重心に近い位置で読取用キャリッジをバランス良く支持することができる。
【００１４】
本発明の複合機において、前記画像読取部は前記読取用キャリッジ及び前記駆動源を収容する有底箱状の読取部ケースをさらに有して前記記録部の上側に配置され、前記読取部ケースの底部には前記駆動源の移動空間を下方に拡張するための駆動源用凹部が前記主走査方向に沿って形成されている。
【００１５】
この構成によれば、読取部ケースの底部に駆動源用凹部が形成されているので、搬送方向において駆動源用凹部と記録用キャリッジとを重ならない位置に配置することで、読取部ケースと記録部ケースとを上下に並べた場合の高さを抑制することができる。
【００１６】
本発明の複合機において、前記読取用キャリッジには前記記録部ケースの背面側から延設される可撓性ケーブルが接続され、前記読取部ケースの底部には、前記搬送方向において前記駆動源用凹部及び前記記録用キャリッジから離間した位置に、前記可撓性ケーブルの収容空間を下方に拡張するためのケーブル用凹部が形成されている。
【００１７】
この構成によれば、読取部ケースの底部には搬送方向において駆動源用凹部及び記録用キャリッジから離間した位置にケーブル用凹部が形成されているので、読取部ケースと記録部ケースとを上下に並べた場合の高さを抑制することができる。
【００１８】
本発明の複合機において、前記読取部ケースは、前記記録部ケースの背面側に設けられた前記主走査方向に延びる回動軸を中心に回動することで前記記録部ケースの上面側を開放するために開閉し、前記ケーブル用凹部は前記記録用キャリッジよりも前記搬送方向の上流側に配置されている。
【００１９】
この構成によれば、可撓性ケーブルを記録部ケースの背面側から読取部ケース内に導入する場合に、搬送方向において可撓性ケーブルを引き回す距離を短くすることができる。
【図面の簡単な説明】
【００２０】
【図１】本発明にかかる複合機の一実施形態についてその外観を示す斜視図。
【図２】同実施形態の複合機を構成する画像読取部の内部を示す斜視図。
【図３】同実施形態の複合機の構成を示す断面図。
【図４】同実施形態の画像読取部の構成を示す上面図。
【図５】同実施形態の読取センサーの作用を説明するための断面図。
【図６】同実施形態の読取用キャリッジに設けられたスライダーから突設されるリブを示す斜視図。
【発明を実施するための形態】
【００２１】
以下、本発明にかかる複合機の一実施形態について説明する。なお、以下の説明において、「前後方向」、「左右方向」、「上下方向」をいう場合は各図中に矢印で示す前後方向、左右方向、上下方向をそれぞれ示すものとする。なお、図面中の上方向、右方向及び前方向を示す矢印において、「○」の中に「・」が記載されたもの（矢の先端を前から見た図）は紙面の裏から表に向かう矢印を意味し、「○」の中に「×」が記載されたもの（矢の羽根を後ろから見た図）は紙面の表から裏に向かう矢印を意味するものとする。
【００２２】
図１に示すように、複合機１１は、記録装置として機能する記録部１２と画像読取装置として機能する画像読取部１３とが上下方向に並ぶように配置されて、一体に組み合わされている。図２に示すように、記録部１２は筐体の一部を構成する記録部ケース１４を備えている。また、画像読取部１３は筐体の一部を構成する有底箱状の読取部ケース１５を備えている。そして、画像読取部１３は記録部１２の上側に配置されている。
【００２３】
複合機１１の前面側には記録部１２及び画像読取部１３を操作するための操作パネル１６が設けられている。操作パネル１６は、左右方向の中央付近に配置され、メニュー画面等を表示するための表示部１７（例えば液晶ディスプレイ）と、表示部１７の左右両側に設けられた操作部１８とを備えている。
【００２４】
画像読取部１３において読取部ケース１５の上側には、四角板状の透明ガラスからなる原稿台２０が配置されている。また、読取部ケース１５には、原稿台２０を上側から固定するための上側ケース２１が嵌め込まれている。
【００２５】
図３に示すように、画像読取部１３の上側ケース２１の上には、原稿カバー２２が開閉可能に設けられている。なお、図２においては、原稿台２０等を明示するために原稿カバー２２の図示を省略している。そして、読取部ケース１５内において原稿台２０の下方には、原稿台２０の上面に載置された原稿Ｐ１に記録された画像（文字や図形など）を読み取るためのスキャナーユニット２３が収容されている。
【００２６】
画像読取部１３の原稿カバー２２は、背面側に設けられた主走査方向Ｘ（本実施形態では左右方向）に延びるカバー軸２４を中心に回動することで開閉し、前端側が原稿台２０から離間するように開くことで原稿台２０を露出させるようになっている。そして、画像読取部１３において画像を読み取る場合には、原稿台２０の上に読取面が下を向くように原稿Ｐ１を載置した上で原稿カバー２２を閉じることで、原稿Ｐ１の読取面を原稿台２０に密着させるようになっている。また、画像読取部１３の読取部ケース１５は、記録部ケース１４の背面側に設けられた主走査方向Ｘに延びる回動軸２５を中心に回動することで開閉する。そして、読取部ケース１５は、前端側が記録部ケース１４から離間するように開くことで記録部ケース１４の上面側を開放するようになっている。
【００２７】
次に、記録部１２の構成について説明する。
記録部ケース１４の背面側には、記録媒体の一例としての用紙Ｐ２を導入するための導入口３０が設けられている。また、記録部ケース１４の前面側には、用紙Ｐ２を記録部ケース１４内から排出するための排出口３１が設けられている。なお、画像読取部１３において導入口３０の上方には、軸部３２ａを中心に回動可能な導入口カバー３２が設けられている。そして、記録部１２において手差し印刷を行う場合には、図３に示すように導入口カバー３２を開いて用紙Ｐ２を導入口３０から挿し入れるようになっている。一方、導入口３０を使用しない場合には、図１に示すように導入口カバー３２を閉めて異物等が導入口３０から入り込むのを抑制するようになっている。
【００２８】
図３に示すように、記録部ケース１４の左右の側壁には、左右方向（主走査方向Ｘ）に沿って延びるガイド軸３３が架設されている。また、ガイド軸３３には主走査方向Ｘに沿って移動可能な状態で記録用キャリッジ３４が支持されている。記録用キャリッジ３４は、図示しないキャリッジモーターの駆動に伴って、主走査方向Ｘに沿って往復移動するようになっている。また、記録部ケース１４内において記録用キャリッジ３４の下方には支持部材３５が設けられている。
【００２９】
記録用キャリッジ３４には、液体の一例としてのインクを収容したインクカートリッジ３６が着脱可能に装着されるようになっている。なお、記録用キャリッジ３４に対してインクカートリッジ３６を着脱する場合には、画像読取部１３の読取部ケース１５を開いて記録部ケース１４の上面側を開放するようになっている。また、記録部ケース１４の天井部３７には、記録用キャリッジ３４の上方への突出を許容するための開口部３８が設けられている。
【００３０】
記録用キャリッジ３４の下面側には、用紙Ｐ２に対して記録（印刷）を施すためのインクジェット式の記録ヘッド３９が支持されている。記録用キャリッジ３４にはインクカートリッジ３６に収容されたインクを記録ヘッド３９の下面側に設けられたノズル４０に向かって供給するための供給経路（図示略）が形成されている。
【００３１】
記録部１２は、導入口３０から導入された用紙Ｐ２を、記録部ケース１４内において背面側となる搬送方向Ｙ（主走査方向Ｘと交差する方向）の上流側から記録ヘッド３９により記録が施されることになる下流側に向けて給送する給送機構４１を有している。給送機構４１は、用紙Ｐ２を案内するための搬送経路形成部材４２と、左右方向に延びる回転軸（図示略）を中心に回転する給送ローラー４３，４４と、給送ローラー４３，４４とそれぞれ対をなす従動ローラー４５，４６と、給送ローラー４３，４４を回転させるための搬送用モーター（図示略）とを備えている。
【００３２】
また、搬送方向Ｙにおいて記録ヘッド３９の下流側には、記録ヘッド３９により記録が施された用紙Ｐ２を排紙するための排紙ローラー対４７，４８が設けられている。なお、排紙ローラー対４７，４８は搬送用モーター（図示略）によって回転されるようにしてもよいし、排紙専用に備えられた排紙用モーター（図示略）によって回転されるようにしてもよい。
【００３３】
記録部１２においては、給送機構４１によって給送されて支持部材３５に支持された用紙Ｐ２の上面側に記録ヘッド３９のノズル４０からインクが噴射されることで、用紙Ｐ２に記録が施されるようになっている。また、記録が施された用紙Ｐ２は、排紙ローラー対４７，４８によって排出口３１から記録部ケース１４の外側へ排紙されるようになっている。
【００３４】
次に、スキャナーユニット２３の構成について説明する。
スキャナーユニット２３は、画像を読み取るための読取センサー５０と、読取センサー５０を支持して主走査方向Ｘに移動する読取用キャリッジ５１と、読取用キャリッジ５１を移動させるために読取用キャリッジ５１に搭載される駆動源の一例としてのモーター５２とを備えている。
【００３５】
図４に示すように、読取センサー５０は、ＬＥＤ（Ｌｉｇｈｔ  Ｅｍｉｔｔｉｎｇ  Ｄｉｏｄｅ）などの光源部５３と、光源部５３から出射された光の反射光を受光する受光部５４とを有している。図５に示すように、受光部５４においては、光源部５３から出射されて原稿Ｐ１に反射した光をロッドレンズアレイ５４ａを通じてリニアセンサー５４ｂに取り込むことで、原稿Ｐ１に記録された文字や図形などを光学的に読み取るようになっている。
【００３６】
図４に示すように、読取センサー５０及び読取用キャリッジ５１は主走査方向Ｘと直交する搬送方向Ｙが長手方向となっている。読取用キャリッジ５１の搬送方向Ｙにおける両端側（前端側と後端側）には、上端が原稿台２０の下面に当接するように突設されたスペーサー５５，５６がそれぞれ取り付けられている。したがって、本実施形態においては、スペーサー５５が読取用キャリッジ５１の長手方向における第１の端部（本実施形態では前端部）を構成するとともに、スペーサー５６が記読取用キャリッジ５１の長手方向における第２の端部（本実施形態では後端部）を構成する。そして、スペーサー５５はモーター５２よりも搬送方向Ｙにおける下流側（前側）に配置されている一方、スペーサー５６は記録用キャリッジ３４よりも搬送方向Ｙにおける上流側（後側）に配置されている（図３参照）。
【００３７】
読取用キャリッジ５１には、記録部ケース１４の背面側から延設される可撓性ケーブル５７（フレキシブルフラットケーブル）が接続されている。可撓性ケーブル５７は、記録部ケース１４内に設けられた制御装置（図示略）からモーター５２や読取センサー５０に制御信号を送ったり、読取センサー５０の読取データを制御装置（図示略）に送ったりするための複数の電線等が平板状に束ねられたものである。可撓性ケーブル５７は、読取用キャリッジ５１の搬送方向Ｙにおける上流側寄りとなる位置に設けられた接続部５８に接続されている。
【００３８】
モーター５２は、読取用キャリッジ５１の搬送方向Ｙにおける下流側寄りとなる位置に設けられた支持部５９に支持されている。読取用キャリッジ５１の支持部５９には、モーター５２の出力軸５２ａに接続されたウォームギア６０と、ウォームギア６０と噛合してモーター５２の駆動に伴って回転するピニオン６１とが支持されている。また、読取部ケース１５には、搬送方向Ｙにおいて下流側寄りとなる位置に、ピニオン６１に前側から噛合して読取用キャリッジ５１の移動を案内する案内部の一例としてのラック部６２が主走査方向Ｘに延設されている。
【００３９】
図６に示すように、支持部５９においてモーター５２の後方には、主走査方向Ｘに延びるスライダー６３が設けられている。スライダー６３の下面側は係合凹部６３ａを形成しているとともに、係合凹部６３ａからは複数（本実施形態では６つ）のリブ６４が突設されている。リブ６４は、長手方向（搬送方向Ｙ）に並んで対をなすとともに、主走査方向Ｘに複数組（本実施形態では３組）並ぶように下方に向けて突設されている。
【００４０】
図３に示すように、読取部ケース１５の底部には、係合凹部６３ａと係合して読取用キャリッジ５１を下方から支持するとともに主走査方向Ｘに延設されて読取用キャリッジ５１の主走査方向Ｘに沿う移動を案内する凸状のガイドレール６６が突設されている。なお、ピニオン６１は、搬送方向Ｙにおいてラック部６２とガイドレール６６との間となる位置に配置されている。また、ガイドレール６６は、長手方向（搬送方向Ｙ）においてラック部６２と並ぶように配置されている。
【００４１】
図３の一部拡大図に示すように、ガイドレール６６には、平面状の頂部ＴＰと、第１支持面６６ａと、第２支持面６６ｂとが形成されている。第１支持面６６ａは長手方向（搬送方向Ｙ）において頂部ＴＰからラック部６２側となる前側に向けて下方に延びる一方、第２支持面６６ｂは長手方向において頂部ＴＰから反ラック部６２側となる後側に向けて下方に延びる。また、第１支持面６６ａと第２支持面６６ｂとは互いに曲率が等しい曲面からなる。
【００４２】
読取用キャリッジ５１の係合凹部６３ａには、第１支持面６６ａと係合する第１摺動面６４ａ及び第２支持面６６ｂと係合する第２摺動面６４ｂが長手方向（搬送方向Ｙ）に並ぶように形成されている。具体的には、ガイドレール６６を挟んで対向するように長手方向（搬送方向Ｙ）において対をなすリブ６４に、第１摺動面６４ａと第２摺動面６４ｂとがそれぞれ形成されている。
【００４３】
第１摺動面６４ａは第２摺動面６４ｂよりも水平面からの立ち上がり角度となる傾斜角度が大きくなっている。すなわち、第１摺動面６４ａの水平面からの立ち上がり角度をα１、第２摺動面６４ｂの水平面からの立ち上がり角度をα２とすると、α１＞α２となっている。そして、ガイドレール６６と係合凹部６３ａとの係合状態において、第１摺動面６４ａは、第２摺動面６４ｂが第２支持面６６ｂと当接する位置Ｃ２よりも低い位置Ｃ１で第１支持面６６ａと当接している。
【００４４】
読取用キャリッジ５１は、ピニオン６１がラック部６２に噛合した状態でモーター５２を駆動することで、ピニオン６１がラック部６２に当接しつつ回転し、ガイドレール６６に案内されながら主走査方向Ｘに沿って移動する。このとき、読取用キャリッジ５１にはピニオン６１とラック部６２との噛み合い点を中心とするモーメントが発生する。例えば、図４においてピニオン６１が反時計方向に回転して読取用キャリッジ５１が左方向に移動する場合は、反時計方向に読取用キャリッジ５１を回転させようとするモーメントが発生する。これにより、特にスライダー６３の右端側では、図４に矢印で示すようにリブ６４がガイドレール６６に対して乗り上げようとする力が働くが、第１摺動面６４ａの傾斜角度α１は、この乗り上げを抑えることができる角度に設定されている。すなわち、第１摺動面６４ａの傾斜角度α１は、スライダー６３のガイドレール６６への乗り上げを考慮しない場合に比較して大きくなるように設定されている。
【００４５】
ただし、第１摺動面６４ａや第２摺動面６４ｂの傾斜角度が大きくなりすぎると、ガイドレール６６と係合凹部６３ａとの噛み合いが深くなり、摺動負荷が高くなってしまう。そこで、第２摺動面６４ｂの傾斜角度α２は、スライダー６３のガイドレール６６への乗り上げを考慮しない場合よりも小さくなるように設定されている。すなわち、スライダー６３のガイドレール６６への乗り上げを考慮しない場合の第１摺動面６４ａ及び第２摺動面６４ｂの傾斜角度をα３とすると、α１＞α３＞α２となる。
【００４６】
図４に示すように、読取部ケース１５の底部には、搬送方向Ｙにおいて接続部５８と対応する位置に、可撓性ケーブル５７の収容空間を下方に拡張するためのケーブル用凹部６７が形成されている。なお、可撓性ケーブル５７は、左側から右側に向けて延設された後、ケーブル用凹部６７の右端付近で左方に向けて折り換えされた端部が読取用キャリッジ５１の接続部５８に接続されている。そのため、ケーブル用凹部６７は、可撓性ケーブル５７の撓み変位に対応して、右側に行くほど収容空間が下方に広がるように、拡張部６７ａから右側に向けて底部の深さが深くなっている。また、可撓性ケーブル５７は記録部ケース１４と読取部ケース１５とを背面側で接続する回動軸２５に沿って配線されるので、ケーブル用凹部６７は記録用キャリッジ３４よりも搬送方向Ｙの上流側に配置されている。
【００４７】
また、読取部ケース１５の底部には、搬送方向Ｙにおいて支持部５９と対応する位置に、モーター５２の移動空間を下方に拡張するための駆動源用凹部６８が主走査方向Ｘに沿って形成されている。図３に示すように、画像読取部１３においては特にモーター５２が上下方向（垂直方向）に大きな収容スペースを必要とする一方、記録部１２においては特に記録用キャリッジ３４が上下方向（垂直方向）に大きな収容スペースを必要とする。そのため、画像読取部１３のモーター５２は、記録用キャリッジ３４の上方位置及び下方位置から外れた前位置において、記録用キャリッジ３４と上下方向において重なるように配置されている。
【００４８】
すなわち、モーター５２の収容スペースと記録用キャリッジ３４の収容スペースとは上下方向において重複している。また、モーター５２の下端位置は記録用キャリッジ３４の上端位置よりも下側に位置している。そして、記録部ケース１４の天井部３７において駆動源用凹部６８の下方となる位置には、駆動源用凹部６８との干渉を避けるための凹部６９が形成されている。
【００４９】
なお、搬送方向Ｙにおいて記録用キャリッジ３４の上流側には給送機構４１が配置されるために、駆動源用凹部６８及び凹部６９は記録部ケース１４内において比較的スペースに余裕がある記録用キャリッジ３４の下流側に配置されている。すなわち、画像読取部１３のモーター５２は、記録用キャリッジ３４よりも搬送方向Ｙの下流側に配置されている。
【００５０】
さらに、ガイドレール６６は、モーター５２の下方に配置されると画像読取部１３の高さが嵩んでしまうため、搬送方向Ｙにおいてモーター５２と記録用キャリッジ３４との間に配置されている。また、ケーブル用凹部６７は、搬送方向Ｙにおいて駆動源用凹部６８及び記録用キャリッジ３４から離間した位置に配置されている。具体的には、可撓性ケーブル５７を引き回す長さが短くなるように、ケーブル用凹部６７は記録用キャリッジ３４よりも搬送方向Ｙの上流側に配置されている（図３参照）。すなわち、複合機１１においては、記録部１２と画像読取部１３とを上下に並べた場合の高さを抑えるために、各部材の配置が調整されている。
【００５１】
上記実施形態によれば、以下のような効果を得ることができる。
（１）記録用キャリッジ３４とモーター５２とが上下方向において重なるように配置されているので、記録用キャリッジ３４の上方位置又は下方位置にモーター５２を配置する場合よりも、装置全体の高さを低くすることができる。したがって、記録ヘッド３９を支持する記録用キャリッジ３４を有する記録部１２と自走式の読取用キャリッジ５１を有する画像読取部１３とを上下方向に並べて配置する場合にも、装置全体の高さを抑制することができる。
【００５２】
（２）記録部ケース１４内において記録用キャリッジ３４よりも搬送方向Ｙの下流側には給送機構４１が配置されないので、記録用キャリッジ３４よりも搬送方向Ｙの上流側となる領域と比較して、画像読取部１３のモーター５２を配置するスペースを容易に確保することができる。
【００５３】
（３）読取用キャリッジ５１は記録用キャリッジ３４と同じく主走査方向Ｘに沿って移動するので、記録用キャリッジ３４の移動経路と読取用キャリッジ５１の移動経路とを互いに重ならない位置に配置することができる。また、ガイドレール６６を搬送方向Ｙにおいて読取用キャリッジ５１と重ならない位置に配置することで、ガイドレール６６を読取用キャリッジ５１の真下に配置する場合よりも、画像読取部１３の高さを抑制することができる。さらに、ガイドレール６６は搬送方向Ｙにおいてモーター５２と記録用キャリッジ３４との間に配置されるので、より重心に近い位置で読取用キャリッジ５１をバランス良く支持することができる。
【００５４】
（４）読取部ケース１５の底部に駆動源用凹部６８が形成されているので、搬送方向Ｙにおいて駆動源用凹部６８と記録用キャリッジ３４とを重ならない位置に配置することで、読取部ケース１５と記録部ケース１４とを上下に並べた場合の高さを抑制することができる。
【００５５】
（５）読取部ケース１５の底部には搬送方向Ｙにおいて駆動源用凹部６８及び記録用キャリッジ３４から離間した位置にケーブル用凹部６７が形成されているので、読取部ケース１５と記録部ケース１４とを上下に並べた場合の高さを抑制することができる。
【００５６】
（６）可撓性ケーブル５７を記録部ケース１４の背面側から読取部ケース１５内に導入するので、搬送方向Ｙにおいて可撓性ケーブル５７を引き回す距離を短くすることができる。
【００５７】
なお、上記実施形態は以下のように変更してもよい。
・上向きに歯部が突設するようにラック部６２を構成し、該ラック部６２の上にピニオン６１を配置するようにしてもよい。また、ガイドレール６６及びスライダー６３に換えて、搬送方向Ｙに沿って２組のピニオン及びラック部を配置して、この２組のピニオン及びラック部によって読取用キャリッジ５１の移動を案内するようにしてもよい。
【００５８】
・例えば記録部１２の前面側や側面側などからインクカートリッジ３６の着脱や紙ジャムの解消などのメンテナンスを行うことができる構成になっている場合などには、読取部ケース１５が開閉しない構成とすることもできる。この場合には、可撓性ケーブル５７を記録部ケース１４の任意の位置から延設することができる。また、読取部ケース１５が開閉しない場合には、読取部ケース１５と記録部ケース１４とを一体に形成してもよい。この場合には、記録部ケース１４の天井部３７や駆動源用凹部６８、ケーブル用凹部６７、凹部６９などは設けなくてもよい。
【００５９】
・読取用キャリッジ５１の後方などに可撓性ケーブル５７を引き回すためのスペースが確保できる場合には、読取部ケース１５の底部にケーブル用凹部６７を設けなくてもよい。
【００６０】
・搬送方向Ｙにおいて、ケーブル用凹部６７、記録用キャリッジ３４、駆動源用凹部６８（モーター５２）の配置を変更してもよい。例えば、駆動源用凹部６８（モーター５２）を記録用キャリッジ３４の搬送方向Ｙにおける上流側（後側）に配置してもよい。
【００６１】
・記録部１２において、インクカートリッジ３６を記録用キャリッジ３４に装着せず、記録部ケース１４側に装着するオフキャリッジ式を採用してもよい。この場合には、記録部ケース１４の天井部３７に開口部３８を設けなくてもよい。ただし、オフキャリッジ式であっても、用紙Ｐ２の紙詰まり（紙ジャム）を解消するなどのメンテナンスを行うために読取部ケース１５が開閉する構成としてもよい。
【００６２】
・支持部材３５の下方に複数の用紙Ｐ２をセット可能な用紙カセットを装着して、この用紙カセットから給送機構４１によって記録ヘッド３９側に向けて自動給紙するようにしてもよい。この場合には、記録部ケース１４に導入口３０を設けなくてもよいし、自動給紙と導入口３０を通じた手差し給紙とが両方できるようにしてもよい。
【００６３】
・記録媒体は用紙に限らず、金属やプラスチックフィルム、布など、任意の素材から構成することができる。
・記録部１２は、インク以外の他の液体の微小量の液滴を噴射したり吐出したりする液体噴射ヘッド等を備える液体噴射装置を採用してもよい。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。
【００６４】
・画像読取部１３は、バーコードリーダーや光学式文字読取装置（ｏｐｔｉｃａｌ  ｃｈａｒａｃｔｅｒ  ｒｅａｄｅｒ）などであってもよい。また、読取センサー５０は、ＣＩＳ（Ｃｏｎｔａｃｔ  Ｉｍａｇｅ  Ｓｅｎｓｏｒ方式に限らず、ＣＣＤ（Ｃｈａｒｇｅ  Ｃｏｕｐｌｅｄ  Ｄｅｖｉｃｅｓ）方式など、他の読取方式を採用することもできる。
【００６５】
・画像読取部１３が記録部１２の下側に配置されていてもよい。
・複合機１１はスキャナー機能を備えたプリンターに限らず、原稿カバー２２を備えないＦＡＸ装置やコピー装置などであってもよい。
【符号の説明】
【００６６】
１１…複合機、１２…記録部、１３…画像読取部、１４…記録部ケース、１５…読取部ケース、２５…回動軸、３０…導入口、３１…排出口、３４…記録用キャリッジ、３９…記録ヘッド、４１…給送機構、５０…読取センサー、５１…読取用キャリッジ、５２…駆動源の一例としてのモーター、５５…第１の端部を構成するスペーサー、５６…第２の端部を構成するスペーサー、５７…可撓性ケーブル、６６…ガイドレール、６７…ケーブル用凹部、６８…駆動源用凹部、Ｐ２…記録媒体の一例としての用紙、Ｘ…主走査方向、Ｙ…長手方向と一致する搬送方向。
【図１】
0005640626.tif 000002
【図２】
0005640626.tif 000003
【図３】
0005640626.tif 000004
【図４】
0005640626.tif 000005
【図５】
0005640626.tif 000006
【図６】
0005640626.tif 000007